(57)【要約】      （修正有）【課題】本発明は、指及び指の関節部に生じる痛みを緩和する使い勝手の良い指保護具の提供を目的とする。【解決手段】保護部１１と装着部１２とを備え、保護部１１は、ワイヤー等の線部材からなり、指先から第１関節４０ｂ又は第２関節４０ｃを越える辺りまでの指の側部に沿って有し、装着部１２は樹脂製からなり、保護部と指の付け根側４０ｄで連設し、指の側部から腹部にまたがって形成してあるとともに、少なくとも指の第１関節部４０ｂの腹部前後を切り欠いてあることを特徴とする。【選択図】  図１
2007000302.tif 000002
【特許請求の範囲】
【請求項１】
保護部と装着部とを備え、
保護部は、ワイヤー等の線部材からなり、指先から第１関節又は第２関節を越える辺りまでの指の側部に沿って有し、
装着部は樹脂製からなり、保護部と指の付け根側で連設し、指の側部から腹部にまたがって形成してあるとともに、少なくとも指の第１関節部の腹部前後を切り欠いてあることを特徴とする指保護具。
【請求項２】
保護部を形成する線部材の、指の側部に上下方向の曲げ支点部を形成したことを特徴とする請求項１記載の指保護具。
【発明の詳細な説明】
【技術分野】
【０００１】
本発明は、指及び指の関節部に生じる痛みを緩和する指保護具に関する。
【背景技術】
【０００２】
従来、リウマチ等の病に侵された人は、指等の節々に痛みが生じる等の後遺症を患っており、苦痛と共に生活しなければならないと言う問題があった。不意に指をどこかに打ち当てた際には指の関節部に痛みが生じ、後遺症よっては曲げた指を伸ばせない場合や、指が変形してしまう場合もあった。
【０００３】
特開２０００−１５７５６７号公報に、指に装着する指固定具を開示するが、指の骨折または縫合治療の際に指の動作を抑制するものであり、生活する上での使い勝手が悪かった。
【特許文献１】特開２０００−１５７５６７号公報
【発明の開示】
【発明が解決しようとする課題】
【０００４】
本発明は、指及び指の関節部に生じる痛みを緩和する使い勝手の良い指保護具の提供を目的とする。
【課題を解決するための手段】
【０００５】
本発明に係る指保護具は、保護部と装着部とを備え、保護部は、ワイヤー等の線部材からなり、指先から第１関節又は第２関節を越える辺りまでの指の側部に沿って有し、装着部は樹脂製からなり、保護部と指の付け根側で連設し、指の側部から腹部にまたがって形成してあるとともに、少なくとも指の第１関節部の腹部前後を切り欠いてあることを特徴とする。
また、指の動かしやすい点からは、保護部を形成する線部材の指の側部に上下方向の曲げ支点部を形成するとよい。
ここで本明細書においては、指の爪側を背とし、その反対側を指の腹部と称し、指と指との間に沿った部分を指部の側部、及び指先側を前方向と定義する。
【発明の効果】
【０００６】
ワイヤー等の線部材で保護部を形成することにより、保護部にて指先に当たる衝撃を緩和し、指の関節部を保護しつつ、指先の腹部と線部材とは連結していなく、指先の腹部には装着部も無いので、指先の腹部を使って物に直接触ることができ、生活する上での使い勝手が良い。
また、樹脂製の装着部が指にフィットすることにより、指への装着状態を保持することができ、指の付け根で指の上下運動ができる。
特に、指の第１関節部に位置する近傍の装着部を切り欠くことで、指の動きの自由度が高い。
【発明を実施するための最良の形態】
【０００７】
図１に本発明に係る指保護具１０を示し、（イ）は側面図であり、（ロ）は斜視図である。
なお、指４０は想像線で示した。
この指保護具１０は保護部１１と装着部１２とを有しており、特に第１関節４０ｂに生じる痛みを緩和するのに効果的である。
指先４０ａから指の側部に沿って第１関節４０ｂを越える辺りまでをワイヤー等の線部材で保護部１１を形成する。
なお、指の付け根４０ｄでの上下運動の際に指先４０ａが保護部１１から外れるのを防ぐために、保護部１１と指先４０ａとは当接しているのが良い。
保護部１１には、第１関節４０ｂ辺りに、指の腹部に沿った腹部保護部１１ａを備える。
線部材は衝撃を緩和できる程度の強度を有しているのが良く、金属製ワイヤー等が例として挙げることができる。
指保護部１０の装着部１２は、第２関節４０ｃから指の付け根４０ｄの中間辺りまでを、指の側部に沿って、かつ、指の付け根側の腹部に沿って設けてあるとともに、保護部１１の両側から連接している。
装着部１２のうち、指の付け根側の腹部に沿った部分を腹部装着部１２ａと称する。
また、第１関節の腹部側の前後（指先側及び指の付け根側）には装着部を形成していない。
装着部１２は弾性を有しているのが良く、弾性樹脂又は形状記憶樹脂等が例として挙げることができる。
図１に示したように、腹部装着部１２ａの一部を切り欠いておくのがよく、指が蒸れることを防ぎ、違和感なく装着したまま生活することができる。
また、保護部１１と装着部１２とで指の変形を抑止することができる。
指の関節部に生じる痛みが強い場合には、指の腹部側を装着部１２で覆うのも良い、この際には通気用の孔を備えておくのが良い。
【０００８】
図２に本発明に係る他の実施例として指保護具２０を示し、（イ）は側面図であり、（ロ）は斜視図である。
この指保護具２０は保護部２１と装着部２２とを有しており、特に指全体に生じる痛みを緩和するのに効果的である。
この実施例の場合には、指先４０ａから第１関節のみならず、第２関節４０ｂを越える辺りまでを指の側部に沿って線部材で保護部２１を形成する。
この場合も保護部２１には、第１関節４０ｂ辺りに、指の腹部に向けて湾曲する腹部保護部２１ａを備える。
装着部２２は、保護部２１と連設しており、第２関節４０ｃから指の付け根４０ｄの中間辺りまで指の腹部に沿って設けてある。
図２に示したように、腹部装着部２２ａにも腹部保護部２１ａとして線部材を備えておけば、指に生じる痛みを緩和する保護範囲を広げることができ、より安心して生活することができる。
また、この実施例の場合には第１関節４０ｂ辺りと第２関節４０ｃ辺りとの間の装着部２２を切り欠き、切り欠き部のワイヤーに上下方向に曲げることが可能な曲げ支点部２３を形成すると、図２にＶで示すように指が曲げやすくなるとともに、指を伸ばす際のサポートとなる。
【０００９】
また、保護部３１をワイヤー線で形成したことにより、例えば図３に示すように、保護部３１の先を指４０の指先４０ａ形状に合わせて曲げ調節できる。
このように保護部３１をワイヤー線で形成したことにより、女性、男性、指の太い人、指の細い人等を問わず、人差し指や中指等の装着する指が異なっても、それぞれの指４０のサイズや大きさに合わせて調節できる。
【図面の簡単な説明】
【００１０】
【図１】本発明に係る指保護具の例を示す。
【図２】本発明の他の実施例を示す。
【図３】本発明の他の実施例を示す。
【符号の説明】
【００１１】
１０、２０、３０        指保護具
１１、２１、３１        保護部
１１ａ、２１ａ、３１ａ  腹部保護部
１２、２２              装着部
１２ａ、２２ａ          腹部装着部
２３                    曲げ支点部
４０                    指
４０ａ                  指先
４０ｂ                  第１関節
４０ｃ                  第２関節
４０ｄ                  指の付け根
【図１】
2007000302.tif 000003
【図２】
2007000302.tif 000004
【図３】
2007000302.tif 000005